【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ユーザの操作を検出する操作検出部と、
異なる複数の第１の要素からなる第１の情報を前記操作検出部が検出したユーザの移動操作に応じて移動して表示させると共に、異なる複数の第２の要素からなる第２の情報を固定して表示させる表示制御部と、
前記操作検出部が検出したユーザの選択操作に基づき、前記第１の要素に対応する位置に表示されている前記第２の要素の情報を、前記選択操作に基づいて取得する情報取得部と、
を備え、
少なくとも１回の前記選択操作に基づいて前記情報取得部が取得する前記第２の要素の情報及び前記第２の要素の情報に対応する前記第１の要素の情報は前記ユーザの認証に用いられる、情報処理装置。
【請求項２】
前記表示制御部は、前記操作検出部の前記選択操作の検出に基づき、複数の前記第１の要素の表示位置をランダムに変更する、請求項１に記載の情報処理装置。
【請求項３】
前記表示制御部は、前記操作検出部の前記選択操作の検出に基づき、複数の前記第２の要素の表示位置をランダムに変更する、請求項１または２に記載の情報処理装置。
【請求項４】
前記表示制御部は、前記第１の情報の表示の際に表示の基準となる座標をランダムに決定する、請求項１〜３のいずれかに記載の情報処理装置。
【請求項５】
前記表示制御部は、前記第１の要素をそれぞれ異なるアルファベットで表示し、前記第２の要素をそれぞれ異なる数字で表示する、請求項１〜４のいずれかに記載の情報処理装置。
【請求項６】
前記表示制御部は、前記第１の要素及び前記第２の要素をそれぞれ異なる数字で表示する、請求項１〜４のいずれかに記載の情報処理装置。
【請求項７】
前記表示制御部は、前記第１の要素をそれぞれ異なる色で表示し、前記第２の要素をそれぞれ異なる数字で表示する、請求項１〜４のいずれかに記載の情報処理装置。
【請求項８】
前記表示制御部は、前記操作検出部の前記移動操作の検出に基づき、前記第２の要素の表示色を前記第１の要素の色に合わせるよう変化させる、請求項７に記載の情報処理装置。
【請求項９】
前記表示制御部は、前記第１の要素をそれぞれ異なるアイコンで表示し、前記第２の要素をそれぞれ異なる数字で表示する、請求項１〜４のいずれかに記載の情報処理装置。
【請求項１０】
前記表示制御部は、前記第１の要素をそれぞれ異なる記号で表示し、前記第２の要素をそれぞれ異なる数字で表示する、請求項１〜４のいずれかに記載の情報処理装置。
【請求項１１】
前記表示制御部は、前記第１の要素をそれぞれ異なる前記ユーザの嗜好に関する情報で表示する、請求項１〜４のいずれかに記載の情報処理装置。
【請求項１２】
前記表示制御部は、前記第２の要素を格子状に表示させ、前記第１の要素を前記第２の要素の間隔と同じ間隔で繰り返し表示させる、請求項１〜１１のいずれかに記載の情報処理装置。
【請求項１３】
前記情報取得部は、Ｎ回（Ｎ≧１）の前記選択操作で２Ｎ個の前記第２の要素の情報を取得する、請求項１〜１２のいずれかに記載の情報処理装置。
【請求項１４】
ユーザからの操作を検出するステップと、
異なる複数の第１の要素からなる第１の情報を前記検出するステップで検出された移動操作に応じて移動して表示させると共に、異なる複数の第２の要素からなる第２の情報を固定して表示させるステップと、
前記検出するステップで検出された選択操作に基づき、前記第１の要素に対応する位置に表示されている前記第２の要素の情報を、前記選択操作に基づいて取得するステップと、
を備え、
少なくとも１回の前記選択操作に基づいて前記取得するステップで取得される前記第２の要素の情報及び前記第２の要素の情報に対応する前記第１の要素の情報は前記ユーザの認証に用いられる、情報処理方法。
【請求項１５】
コンピュータに、
ユーザからの操作を検出するステップと、
異なる複数の第１の要素からなる第１の情報を前記検出するステップで検出された移動操作に応じて移動して表示させると共に、異なる複数の第２の要素からなる第２の情報を固定して表示させるステップと、
前記検出するステップで検出された選択操作に基づき、前記第１の要素に対応する位置に表示されている前記第２の要素の情報を、前記選択操作に基づいて取得するステップと、
を実行させ、
少なくとも１回の前記選択操作に基づいて前記取得するステップで取得される前記第２の要素の情報及び前記第２の要素の情報に対応する前記第１の要素の情報は前記ユーザの認証に用いられる、コンピュータプログラム。
【手続補正２】
【補正対象書類名】明細書
【補正対象項目名】００２６
【補正方法】変更
【補正の内容】
【００２６】
続いてユーザは、図５に示したように、マウス等を用いてカーソル部ｖ１２ａ〜ｖ１２ｉを操作し、ユーザが記憶しているパスワードの４文字目の「Ｂ」の文字が表示されているカーソル部ｖ１２ｂを、暗証番号表示部ｖ１１に表示されている数字の内の「１」のエリアに移動させて、マウスのクリック等で「１」を選択する。このユーザの操作により、暗証番号の４桁目の「１」と、パスワードの４文字目の「Ｂ」が対応付けられて入力されることになる。
【手続補正３】
【補正対象書類名】明細書
【補正対象項目名】００３３
【補正方法】変更
【補正の内容】
【００３３】
図７に示したように、本開示の一実施形態にかかる情報処理システム１は、サーバ装置１０と、情報処理装置１００と、を含んで構成される。なお図７に示した例では、サーバ装置１０と、情報処理装置１００とは、ネットワーク２０を介して接続されている。
【手続補正４】
【補正対象書類名】明細書
【補正対象項目名】００５４
【補正方法】変更
【補正の内容】
【００５４】
以上、図７を用いて本開示の一実施形態に係る情報処理システムの構成例について説明した。次に、本開示の一実施形態に係る情報処理システム１の動作例について説明する。
【手続補正５】
【補正対象書類名】明細書
【補正対象項目名】００５９
【補正方法】変更
【補正の内容】
【００５９】
図２〜図６に示した例を再び用いて説明する。ログインしようとするユーザに対応するパスワードがＣＡＨＢＥであれば、情報処理装置１００は、カーソル部ｖ１２ｃ、ｖ１２ａ、ｖ１２ｈ、ｖ１２ｂ、ｖ１２ｅの順に、ユーザの操作部１２０を用いた選択操作（例えばマウスのクリック操作）に応じた番号を取得する。
【手続補正６】
【補正対象書類名】明細書
【補正対象項目名】００６４
【補正方法】変更
【補正の内容】
【００６４】
サーバ装置１０は、情報処理装置１００から送信された暗証番号を用いてユーザの認証処理を実行する（ステップＳ１０８）。サーバ装置１０は、あらかじめ登録された暗証番号と、情報処理装置１００から送信された暗証番号とが一致しているかどうかによって、ユーザの認証処理を実行する。図２〜図６に示した例では、サーバ装置１０は、カーソル部ｖ１２ｃ、ｖ１２ａ、ｖ１２ｈ、ｖ１２ｂ、ｖ１２ｅの順に選択操作が行われた際の数字が「３１４１３」と一致しているか否かにより、ユーザの認証処理を実行する。サーバ装置１０は、数字が「３１３１４」と一致していれば当該ユーザへサービスの利用を許可し、一致していなければ当該ユーザへサービスの利用を許可しない。
【手続補正７】
【補正対象書類名】明細書
【補正対象項目名】００９８
【補正方法】変更
【補正の内容】
【００９８】
ステップＳ１０６の判断の結果、暗証番号の桁数分の数字の入力が完了していなければ、情報処理装置１００は、ステップＳ１０３に戻る前に、暗証番号表示部ｖ１１に表示されている数字の並びをランダムに変更し（ステップＳ１１０）、さらにカーソル部の並びをランダムに変更する（ステップＳ１１１）。さらに情報処理装置１００は、カーソル部として表示するアイコンを、ユーザプロファイルに基づき更新する（ステップＳ１１３）。
【手続補正８】
【補正対象書類名】明細書
【補正対象項目名】０１１１
【補正方法】変更
【補正の内容】
【０１１１】
ユーザは、「音楽」については「ラヴェル」、「都市」については「マドリッド」、「動物」については「フラミンゴ」、「食べ物」については「魚」が好きであることは当然知っている。従って、ユーザは暗証番号の各桁の入力時に、カーソルとして表示されている食べ物、都市、音楽（作曲家）、動物の中から、自分が好きなもののカーソルを合わせて選択することができる。そしてサーバ装置１０は、ユーザが入力した暗証番号と、上述のように決定したカーソルパスワードとによって、ユーザ認証を行なうことができる。
【手続補正９】
【補正対象書類名】明細書
【補正対象項目名】０１２０
【補正方法】変更
【補正の内容】
【０１２０】
例えば暗証番号が「３１４１」であり、ユーザが１桁目の「３」に青色、２桁目の「１」に赤色、３桁目の「４」に緑色、４桁目の「１」に黄色をそれぞれ割り当ててサーバ装置１０に登録した場合で説明する。この場合において、情報処理装置１００のユーザが、青色で表示されるカーソル部ｖ１３ａを「３」に合わせて選択操作を実行し、続いて赤色で表示されるカーソル部ｖ１３ｅを「１」に合わせて選択操作を実行し、続いて緑色で表示されるカーソル部ｖ１３ｆを「４」に合わせて選択操作を実行し、最後に黄色で表示されるカーソル部ｖ１３ｄを「１」に合わせて選択操作を実行した場合に、ユーザが選択した番号は正当な番号であると判断される。